(57)【特許請求の範囲】
【請求項１】
内容器収容空間（１１）が形成された外容器（１０）と、
前記外容器（１０）にヒンジで結合され、内部に押圧環状突条（２２）が形成された外容器蓋（２０）と、
前記外容器（１０）に収容され、外壁（３３）及び第１ヒンジブロック（３４）が形成された内容器（３０）と、
前記内容器（３０）の第１ヒンジブロック（３４）にヒンジ結合される内容器蓋（４０）とを含んでなり、
前記内容器蓋（４０）は下部に密閉用環状突条（４２）が形成され、前記密閉用環状突条（４２）の外径は前記内容器（３０）の前記外壁（３３）の内径より大きく形成されて前記外壁（３３）の内側に締まり嵌めて結合され、
前記内容器蓋（４０）は上部に延長環状突条（４３）が形成され、前記外容器蓋（２０）の前記押圧環状突条（２２）によって押圧されるように構成され、
前記第１ヒンジブロック（３４）にてヒンジ孔（３４１）が上下に長く形成され、前記内容器蓋（４０）は、前記第１ヒンジブロック（３４）を中心とした回転を行わない状態にて、上下方向にのみ、前記内容器（３０）に対して移動することができ、
前記第１ヒンジブロック（３４）は、前記内容器蓋（４０）における水平板部の周縁に隣接しており、
前記内容器蓋（４０）が、第１ヒンジブロック（３４）を中心に回転して閉じられた後、前記外容器蓋（２０）が閉じられる際、前記外容器蓋（２０）により、前記押圧環状突条（２２）及び延長環状突条（４３）を通じて、前記内容器蓋（４０）が下方へと押し込まれ、この際、前記密閉用環状突条（４２）は、その外側面の一部が、前記外壁（３３）の内側面の一部に押し付けられ、これにより、密閉が行われることを特徴とする、内容器と内容器蓋間の密閉構造を有する化粧品容器。
【請求項２】
内容器収容空間（１１）が形成された外容器（１０）と内部に押圧環状突条（２２）が形成された外容器蓋（２０）とがヒンジで結合され、前記外容器（１０）の内側に外壁（３３）及び第１ヒンジブロック（３４）が形成された内容器（３０）が装着され、前記内容器（３０）の第１ヒンジブロック（３４）に、内容器蓋（４０）がヒンジ結合され、前記内容器蓋（４０）は、下部に密閉用環状突条（４２）が形成され、上部に、前記押圧環状突条（２２）によって押圧される延長環状突条（４３）が形成され、
前記第１ヒンジブロック（３４）にてヒンジ孔（３４１）が上下に長く形成され、前記内容器蓋（４０）は、前記第１ヒンジブロック（３４）を中心とした回転を行わない状態にて、上下方向にのみ、前記内容器（３０）に対して移動することができ、
前記第１ヒンジブロック（３４）は、前記内容器蓋（４０）における水平板部の周縁に隣接しており、
前記内容器蓋（４０）が、第１ヒンジブロック（３４）を中心に回転して閉じられた後、前記外容器蓋（２０）が閉じられる際、前記外容器蓋（２０）により、前記押圧環状突条（２２）及び延長環状突条（４３）を通じて、前記内容器蓋（４０）が下方へと押し込まれ、この際、前記密閉用環状突条（４２）は、その外側面の一部が、前記外壁（３３）の内側面の一部に押し付けられ、これにより、密閉が行われることを特徴とする、内容器と内容器蓋間の密閉構造を有する化粧品容器。
【請求項３】
前記内容器（３０）の前記外壁（３３）の内側には内壁（３２）がさらに形成されることを特徴とする、請求項１又は２に記載の内容器と内容器蓋間の密閉構造を有する化粧品容器。
【請求項４】
前記密閉用環状突条（４２）の外径は前記内容器（３０）の前記外壁（３３）の内径より０．０１ｍｍ〜１．０ｍｍだけ大きく形成されることを特徴とする、請求項１又は２に記載の内容器と内容器蓋間の密閉構造を有する化粧品容器。
【請求項５】
前記ヒンジ孔（３４１）は楕円形または長円形に形成されることを特徴とする、請求項１又は２に記載の内容器と内容器蓋間の密閉構造を有する化粧品容器。
【請求項６】
前記密閉用環状突条（４２）は、外周面に密閉用環状突起（４２１）が形成されることを特徴とする、請求項１又は２に記載の内容器と内容器蓋間の密閉構造を有する化粧品容器。
【請求項７】
前記延長環状突条（４３）は上下方向に突出または陥没する突出部（４３１）と陥没部（４３２）が繰り返し形成され、前記突出部（４３１）と陥没部（４３２）はそれぞれ三つずつ等角度で形成されることを特徴とする、請求項１又は２に記載の内容器と内容器蓋間の密閉構造を有する化粧品容器。
【請求項８】
前記内容器（３０）の内壁（３２）と外壁（３３）の間には環状の固定具（５０）がさらに結合され、
前記固定具（５０）は、
前記内壁（３２）に、その外側から嵌め合わされて固定される周壁部と、
この周壁部の上端部から径方向内側へ、前記内壁（３２）の内周面を超えて突き出す内向きフランジ部とを含むことを特徴とする、請求項３に記載の内容器と内容器蓋間の密閉構造を有する化粧品容器。
【発明の詳細な説明】
【技術分野】
【０００１】
本発明は、内容器と内容器蓋間の密閉構造を有する化粧品容器に係り、より詳しくは、内容器の外壁の直径より内容器蓋の下部に形成されている密閉用環状突条の直径をもっと大きく形成して前記密閉用環状突条が内容器の外壁に締まりばめで挿入されるようにし、内容器の一側に楕円形のヒンジ孔が形成された第１ヒンジブロックを形成してヒンジピンが前記ヒンジ孔を通じて上下に移動することができるようにすることにより、内容器を閉めるとき、内容器内部の密閉力を向上させる内容器と内容器蓋間の密閉構造を有する化粧品容器に関するものである。
【０００２】
また、内容器蓋の上部に延長環状突条を形成し、前記延長環状突条の形態を波形に突出部と陥没部をそれぞれ三つずつ等角度で形成し、外容器蓋の下部内側に前記延長環状突条の突出部に対応する押圧環状突条を形成することにより、外容器蓋を閉めるとき、押圧環状突条が前記延長環状突条の三つの突出部を押圧して内容器の内部に圧力を発生させ、このときに外容器蓋が外容器と締結されることにより、内容器蓋が上方に上げられることを遮断する内容器と内容器蓋間の密閉構造を有する化粧品容器に関するものである。
【背景技術】
【０００３】
化粧品は、人体を清潔に美化して魅力を増やし、顔つきを明るく変化させるか、皮膚や毛髪の健康を維持乃至増進するために人体に使われる物品であって、基礎化粧品及び機能性化粧品に大別される。代表的な基礎化粧品としてパウダー又はファウンデーションを挙げることができる。
【０００４】
前記ファウンデーションは皮膚色を一様に調節して所望のイメージの皮膚色を表現するのに非常に有用に使われる化粧品である。このようなファウンデーションは皮膚の欠点であるしみ、そばかす、細かいきずなどをカバーするので、ポイントメーキャップが引き立つようにする。
【０００５】
また、公害、ほこり、紫外線などから皮膚を保護し、顔の輪郭を修正し、立体感を与えるため、広く用いられている。
【０００６】
前記のようなファウンデーションは主に鏡及びパフ（ｐｕｆｆ）を収容する構造になったファウンデーション容器に入れて使うことになる。ファウンデーション容器に収容された鏡は外容器の蓋内側に付着されることが一般的であり、パフは化粧品内容物を収容した内部容器を覆う蓋の上部に置かれるようにする構造が普遍化されている。
【０００７】
このようなファウンデーション容器は含浸部材又はゲル状の色合い化粧品内容物を収納して保管し、使用時に容器本体の前面部に設けられたボタンを押圧して外部蓋を容器本体からヒンジ方式で回動させて開き、内部に収容されたパフやブラシなどの化粧道具で化粧品内容物を付けて顔を化粧するのに使われる。
【０００８】
しかし、ファウンデーションは揮発性溶媒を多量含んでいるため、前記ファウンデーションを収容する内部容器の密閉力が低下する場合、揮発性溶媒が大気中に蒸発し、これによりファウンデーションが硬くなってファウンデーション固有の機能を失うことになる問題があるため、ファウンデーションの揮発性溶媒の蒸発を遮断するための方法が必要になった。
【０００９】
上記のような問題を解消するために、図１に示すように、気密型のリフィルケースを有する化粧品容器として大韓民国登録特許第１０−１３１８４６７号が開示されている。上記従来技術は、容器本体１、前記容器本体１とのヒンジ結合によって開閉される容器蓋２、及び前記容器本体１の内部に収容されるリフィルケース３からなっている。
【００１０】
前記リフィルケース３は、上部蓋４と下部本体５が蝶形ヒンジで連結され、前記下部本体５の外壁上端に形成され、リング形の組立突起を有する組立溝部６と、前記上部蓋４の下部に形成され、リング形の組立溝部を有する組立突部７とによって二重に気密に結合され、前記容器蓋２を閉めるとき、容器蓋２の下部が上部蓋４に形成された押圧突部８を押圧することにより、リフィルケース３の気密性を一層優秀に確保することができるので、リフィルケース３の内部に外部空気が流入すること、内部の水分又は揮発成分が蒸発することとを防止する構造である。
【００１１】
しかし、上記従来技術は、リフィルケース３を密閉させるために上部蓋４を押圧して閉めるとき、前記リフィルケース３の下部本体５の内部の残圧によって上部蓋４が上方に上げられ、これによってリフィルケース３の密閉力が低下する問題があった。
【００１２】
また、前記押圧突部８がリフィルケース３の上部蓋４の上側にただ二つのみが形成されているため、容器蓋２が押圧突部８を押圧するとき、上部蓋４が一側に傾いて押されるため、完全に密閉できず、リフィルケース３内の化粧品内容物の揮発成分が揮発して商品性が落ちる問題があった。
【発明の概要】
【発明が解決しようとする課題】
【００１３】
本発明は、上記のような問題点を解決するために案出されたもので、内容器外壁の直径より内容器蓋の下部に形成されている密閉用環状突条の直径をもっと大きく形成して前記密閉用環状突条が内容器の外壁に締まりばめで挿入されるようにし、内容器の一側に楕円形のヒンジ孔が形成された第１ヒンジブロックを形成して、ヒンジピンが前記ヒンジ孔を通じて上下に移動できるようにすることにより内容器を閉めるとき、内容器内部の密閉力を向上させる、内容器と内容器蓋間の密閉構造を有する化粧品容器に関するものである。
【００１４】
また、内容器蓋の上部に延長環状突条を形成し、前記延長環状突条の形態を波形に突出部と陥没部をそれぞれ三つずつ等角度で形成し、外容器蓋の下部内側に前記延長環状突条の突出部に対応する押圧環状突条を形成することにより、外容器蓋を閉めるとき、押圧環状突条が前記延長環状突条の三つの突出部を押圧して内容器内部に圧力が発生させ、この時に外容器蓋が外容器と締結されることにより、内容器蓋が上方に上げられることを遮断する、内容器と内容器蓋間の密閉構造を有する化粧品容器に関するものである。
【課題を解決するための手段】
【００１５】
本発明は、内容器収容空間１１が形成された外容器１０と、
前記外容器１０にヒンジで結合され、内部に押圧環状突条２２が形成された外容器蓋２０と、前記外容器１０に収容され、外壁３３及び第１ヒンジブロック３４が形成された内容器３０と、前記内容器３０の第１ヒンジブロック３４にヒンジ結合される内容器蓋４０とを含んでなり、
前記内容器蓋４０は下部に密閉用環状突条４２が形成され、前記密閉用環状突条４２の外径は内容器３０の外壁３３の内径より大きく形成されて前記外壁３３の内側に締まりばめで結合され、
前記内容器蓋４０は上部に延長環状突条４３が形成され、前記外容器蓋２０の押圧環状突条２２によって押圧されるように構成されることを特徴とする、内容器と内容器蓋間の密閉構造を有する化粧品容器を提供する。
【００１６】
また、本発明の内容器３０の外壁３３の内側には内壁３２がさらに形成されることを特徴とする。
【００１７】
また、本発明の第１ヒンジブロック３４には楕円形のヒンジ孔３４１が形成されることを特徴とする。
【００１８】
また、本発明の延長環状突条４３は突出部４３１と陥没部４３２が繰り返し形成され、三つずつ形成されることを特徴とする。
【００１９】
また、本発明の内容器３０の内壁３２と外壁３３の間には固定具５０がさらに結合されることを特徴とする。
【発明の効果】
【００２０】
前記のように、本発明による内容器と内容器蓋間の密閉構造を有する化粧品容器は、内容器外壁の直径より内容器蓋下部に形成されている密閉用環状突条の直径をもっと大きく形成して前記密閉用環状突条が内容器の外壁に締まりばめで挿入されるようにし、内容器の一側に楕円形のヒンジ孔が形成された第１ヒンジブロックを形成してヒンジピンが前記ヒンジ孔を通じて上下に移動するようにすることにより、内容器を閉めるとき、内容器内部の密閉力を向上させる効果がある。
【００２１】
また、本発明による内容器と内容器蓋間の密閉構造を有する化粧品容器は、内容器蓋の上部に延長環状突条を形成し、前記延長環状突条の形態を波形に突出部と陥没部をそれぞれ三つずつ等角度で形成し、外容器蓋の下部内側に前記延長環状突条の突出部に対応する押圧環状突条を形成することにより、外容器蓋を閉めるとき、押圧環状突条が前記延長環状突条の三つの突出部を押圧して内容器内部に圧力を発生させ、この時に外容器蓋が外容器と締結されることにより、内容器蓋が上方に上げられることを遮断することができる効果がある。
【図面の簡単な説明】
【００２２】
【図１】従来の気密型リフィルケースを有する化粧品容器の断面図である。
【図２】本発明の一実施例による内容器と内容器蓋間の密閉構造を有する化粧品容器の外容器蓋を開放した状態の斜視図である。
【図３】本発明の一実施例による内容器と内容器蓋間の密閉構造を有する化粧品容器の分解斜視図である。
【図４】本発明の一実施例による内容器と内容器蓋間の密閉構造を有する化粧品容器の外容器蓋を開放した状態において、内容器蓋を閉めた状態の断面図である。
【図５】本発明の一実施例による内容器と内容器蓋間の密閉構造を有する化粧品容器の外容器蓋を開放した状態において、内容器蓋を閉じた状態の断面図である。
【図６】本発明の一実施例による内容器と内容器蓋間の密閉構造を有する化粧品容器の外容器蓋を閉じた状態の断面図である。
【図７】図５のＡ部の拡大断面図である。
【図８】図６のＢ部の拡大断面図である。
【図９】本発明の一実施例による内容器と内容器蓋間の密閉構造を有する化粧品容器の内容器に形成された第１ヒンジブロックの拡大断面図である。
【発明を実施するための形態】
【００２３】
本発明による内容器と内容器蓋間の密閉構造を有する化粧品容器の一実施例を添付図面に基づいて説明すれば次の通りである。
【００２４】
図２は本発明の一実施例による内容器と内容器蓋間の密閉構造を有する化粧品容器の外容器蓋を開放した状態の斜視図であり、図３は本発明の一実施例による内容器と内容器蓋間の密閉構造を有する化粧品容器の分解斜視図である。図４は本発明の一実施例による内容器と内容器蓋間の密閉構造を有する化粧品容器の外容器蓋を開放した状態で内容器蓋を閉める状態の断面図であり、図５は本発明の一実施例による内容器と内容器蓋間の密閉構造を有する化粧品容器の外容器蓋を開放した状態で内容器蓋を閉じた状態の断面図であり、図６は本発明の一実施例による内容器と内容器蓋間の密閉構造を有する化粧品容器の外容器蓋を閉じた状態の断面図である。図７は図５のＡ部の拡大断面図であり、図８は図６のＢ部の拡大断面図であり、図９は本発明の一実施例による内容器と内容器蓋間の密閉構造を有する化粧品容器の内容器に形成された第１ヒンジブロックの拡大断面図である。
【００２５】
本発明は、内容器収容空間１１が形成された外容器１０と、前記外容器１０にヒンジ結合され、内部に押圧環状突条２２が形成された外容器蓋２０と、  前記外容器１０に収容され、外壁３３及び第１ヒンジブロック３４が形成された内容器３０と、前記内容器３０の第１ヒンジブロック３４にヒンジ結合される内容器蓋４０とを含んでなり、
前記内容器蓋４０は下部に密閉用環状突条４２が形成され、前記密閉用環状突条４２の外径は内容器３０の外壁３３の内径より大きく形成されて前記外壁３３の内側に締まりばめで結合され、前記内容器蓋４０は上部に延長環状突条４３が形成され、前記外容器蓋２０の押圧環状突条２２によって押圧されるように構成される。
【００２６】
前記外容器１０は、一側面に係止突起１２１が形成されたボタン１２が設けられ、前記ボタン１２の対向側にヒンジが形成され、外容器蓋２０とヒンジで結合され、内部には内容器収容空間１１が形成される。
【００２７】
前記内容器収容空間１１には内容器３０が装着される。
【００２８】
前記ボタン１２は使用者の押圧動作によって、ボタン１２の上部に延設された係止突起１２１が後退して、外容器蓋２０のフック２１から離脱することにより、前記外容器蓋２０が開くことになる。
【００２９】
前記外容器蓋２０は外容器１０の上部を覆うもので、外容器１０とヒンジで結合され、外容器１０を開放又は閉鎖するとかする役目をする。
【００３０】
前記外容器蓋２０の一側にはフック２１が形成され、これは外容器１０の係止突起１２１と対応するように突起形状になる。
【００３１】
前記外容器蓋２０の内側には鏡２３が付着されることができ、使用者は前記外容器蓋２０を開き、鏡２３を見ながら化粧できる。
【００３２】
前記外容器蓋２０の内側に形成された鏡２３の周縁部には押圧環状突条２２が形成されるので、外容器蓋２０を閉めるとき、前記押圧環状突条２２が内容器蓋４０に形成された延長環状突条４３を押圧する。
【００３３】
前記内容器３０は内容物収容空間３１を有し、側面には内壁３２と外壁３３が形成され、前記外壁３３の一側上端には第１ヒンジブロック３４が形成される。
【００３４】
前記内容器３０は外容器１０の内容器収容空間１１に装着される。
【００３５】
前記内容物収容空間３１には内容物が収容され、前記内容物は揮発性溶媒を多量含んでいるファウンデーションやスポンジのような含浸部材に含浸可能な内容物である。
【００３６】
前記内壁３２と外壁３３の間には固定具５０がさらに結合されることができる。
【００３７】
前記固定具５０は、図４〜図６に示すように、内壁３２の外側に結合されて、内容器３０に収容された内容物や含浸部材が前記内容器３０から離脱しないようにする役目をする。
【００３８】
前記外壁３３は、図５〜図８に示すように、内容器蓋４０の密閉用環状突条４２が嵌め合わせられて内容器３０の気密性を増大させる役目をする。
【００３９】
前記第１ヒンジブロック３４には、図９に示すように、楕円形のヒンジ孔３４１が形成される。
【００４０】
前記ヒンジ孔３４１には内容器蓋４０がヒンジピン３５を介してヒンジ結合され、ヒンジ孔３４１の上側には、図４、図５及び図７に示すように、内容器３０を覆うときにヒンジピン３５が位置する。
【００４１】
前記のように、ヒンジ孔３４１の上側にヒンジピン３５が位置していて、外容器蓋２０を閉めるとき、前記外容器蓋２０の内側に形成された押圧環状突条２２が内容器蓋４０に形成された延長環状突条４３を押圧して前記内容器蓋４０を下方に押し下げることにより、図６及び図８に示すように、ヒンジピン３５がヒンジ孔３４１の下側に移動して位置することになる。
【００４２】
すなわち、図７のような状態から図８のような状態になることにより、内容器３０が密閉される。
【００４３】
前記内容器蓋４０は、上面には化粧道具であるパフ（図示せず）を保管できるパフ収容空間４１が形成され、下部には密閉用環状突条４２が形成され、上部には延長環状突条４３が形成される。
【００４４】
前記内容器蓋４０の一側には第２ヒンジブロック４４が形成され、ヒンジピン３５を介して内容器３０の第１ヒンジブロック３４とヒンジ結合される。
【００４５】
前記密閉用環状突条４２は、図５〜図８に示すように、内容器３０の外壁３３の内側に嵌め合わせられ、前記密閉用環状突条４２の外径は内容器３０外壁３３の内径より大きく形成されることにより、前記外壁３３の内側に締まりばめで結合されて内容器３０の気密性を増大させる。
【００４６】
前記密閉用環状突条４２の外径は内容器３０外壁３３の内径より０．０１ｍｍ〜１．０ｍｍだけ大きく形成されることが好ましい。
【００４７】
密閉用環状突条４２の外径が内容器３０の外壁３３の内径より０．０１ｍｍ未満に大きく形成されれば、内容器３０に収容された内容物の揮発物質が揮発して圧力が増加する場合、揮発物質の排出圧力を克服することができなくて内容物の揮発物質が流出する問題点がある。
【００４８】
また、密閉用環状突条４２の外径が内容器３０の外壁３３の内径より１．０ｍｍを超えて大きく形成されれば、内容器蓋４０の密閉用環状突条４２が内容器３０の外壁３３の内側に締まりばめで結合されることで、内容器３０の外壁３３に疲労が累積して前記外壁３３で亀裂が発生し、内容物の揮発物質が流出する問題が発生する。
【００４９】
前記密閉用環状突条４２の外周面には密閉用環状突起４２１が形成され、前記密閉用環状突条４２が外壁３３の内側に締まりばめで結合されることによって内容器３０の気密性を一層増大させる。
【００５０】
前記内容器蓋４０の延長環状突条４３は波形に形成された突出部４３１と陥没部４３２が繰り返し形成され、三つずつ等角度で形成される。
【００５１】
前記延長環状突条４３は、図５に示すように、内容器蓋４０の密閉用環状突条４２が内容器３０の外壁３３の内側に嵌め合わせられるとき、図６に示すように、外容器蓋２０の押圧環状突条２２が延長環状突条４３を押圧する。
【００５２】
この際、前記押圧環状突条２２は前記延長環状突条４３に形成された三つの突出部４３１を均一に押圧する。
【００５３】
本発明の一実施例による内容器と内容器蓋間の密閉構造を有する化粧品容器の組立方法及び使用状態を詳細に説明すれば次通りである。
【００５４】
本発明は、内容器収容空間１１が形成された外容器１０と、内部に押圧環状突条２２が形成された外容器蓋２０とがヒンジで結合され、前記外容器１０の内容器収容空間１１に内容器３０が装着される。
【００５５】
前記内容器３０は内壁３２と外壁３３が形成され、内容器蓋４０とヒンジで結合され、前記内容器蓋４０は下部に密閉用環状突条４２が形成され、上部に延長環状突条４３が形成される。
【００５６】
前記内容器３０の内壁３２と外壁３３の間には固定具５０がさらに結合されることができる。
【００５７】
前記のように組み立てられた本発明の内容器と内容器蓋間の密閉構造を有する化粧品容器の内容物を使うためには、外容器蓋２０を開放してから内容器蓋４０を開放する。
【００５８】
その後、パフで内容器３０に収容された内容物を付けて化粧する。
【００５９】
化粧を完了した後、本発明の内容器と内容器蓋間の密閉構造を有する化粧品容器を密閉するために、図４に示すように、内容器蓋４０を下方に回転させることで、図５に示すように、内容器３０と内容器蓋４０を結合させる。
【００６０】
この際、内容器蓋４０の下部に形成された密閉用環状突条４２の外径が内容器３０の外壁３３の内径より大きく形成されるため、図７に示すように、内容器蓋４０の密閉用環状突条４２が内容器３０の外壁３３の内側に載せられる。
【００６１】
その後、図６に示すように、外容器蓋２０で外容器１０を閉めて結合させれば、前記外容器蓋２０の内部に形成された押圧環状突条２２が内容器蓋４０の上部に形成された延長環状突条４３を押圧することになる。
【００６２】
前記延長環状突条４３は波形に形成された突出部４３１と陥没部４３２が三つずつ等角度で繰り返し形成され、押圧環状突条２２が前記突出部４３１を均一に押圧して、内容器蓋４０の密閉用環状突条４２を内容器３０の外壁３３の下方に押し下げる。
【００６３】
前記外容器蓋２０の押圧環状突条２２が内容器蓋４０の延長環状突条４３の突出部４３１を強制に押圧して、内容器蓋４０が内容器３０を密閉させることによって前記内容器３０の内部に圧力が発生する。この際、外容器蓋２０が外容器１０と締結されることにより、内容器蓋４０が上方に上げられることを遮断することになる。
【００６４】
前記押圧環状突条２２の押圧により、内容器３０と内容器蓋４０をヒンジ結合させるヒンジピン３５が、図７に示すように、第１ヒンジブロック３４の第１ヒンジ孔３４１の上側に位置し、図８に示すように、第１ヒンジブロック３４のヒンジ孔３４１の下側に移動するようになる。
【００６５】
この際、第１ヒンジ孔３４１と第２ヒンジ孔３４２の間に形成された係止段３４３により、ヒンジピン２３５が第２ヒンジ孔３４２に位置して内容器３０の密閉性を増大させる。
【００６６】
また、図８に示すように、密閉用環状突条４２の外周面に形成された密閉用環状突起４２１が外壁３３の上端内周面に堅固に嵌め合わせられることによって内容器３０の密閉性を一層増大させる効果がある。
【００６７】
以上、本発明で説明したものは内容器と内容器蓋間の密閉構造を有する化粧品容器を実施するための一実施例に過ぎないもので、本発明は前記一実施例に限定されるものではない。添付の請求範囲で請求するように、本発明の要旨を逸脱しない範疇内で当該発明が属する分野で通常の知識を持つ者であれば誰でも多様な変形実施が可能な範囲まで本発明の範囲に属するものに見なされなければならないであろう。
【符号の説明】
【００６８】
１０      外容器
１１      内容器収容空間
１２      ボタン
１２１    係止突起
２０      外容器蓋
２１      フック
２２      押圧環状突条
２３      鏡
３０      内容器
３１      内容物収容空間
３２      内壁
３３      外壁
３４      第１ヒンジブロック
３４１    ヒンジ孔
３５      ヒンジピン
４０      内容器蓋
４１      パフ収容空間
４２      密閉用環状突条
４２１    密閉用環状突起
４３      延長環状突条
４３１    突出部
４３２    陥没部
４４      第２ヒンジブロック
５０      固定具
【図１】
0006353921.tif 000002
【図２】
0006353921.tif 000003
【図３】
0006353921.tif 000004
【図４】
0006353921.tif 000005
【図５】
0006353921.tif 000006
【図６】
0006353921.tif 000007
【図７】
0006353921.tif 000008
【図８】
0006353921.tif 000009
【図９】
0006353921.tif 000010